(57)【要約】【課題】低湿度作業室内の二酸化炭素濃度を１００ｐｐｍ以下に制御できる除湿空調装置を提供する事を目的とする。【解決手段】本発明は、外気をプレクーラで冷却除湿し、二酸化炭素を吸着する二酸化炭素吸着ロータの吸着ゾーンに通し、これによって二酸化炭素濃度が低くなった空気をインタークーラで冷却し、インタークーラを通過した空気の一部を分岐して湿気吸着ロータの吸着ゾーンを通過させて低湿度作業室に供給するようにし、低湿度作業室からの還気をプレクーラを出た空気と混合させ、インタークーラを通過した空気の一部を分岐し、湿気吸着ロータのパージゾーンを通過させ、湿気吸着ロータの再生ゾーンに送るようにし、湿気吸着ロータの再生ゾーンを通過した空気と外気を混合させ、二酸化炭素吸着ロータの再生ゾーンに通過させた後、装置外に排気するようにした。【選択図】図１
2019018157.tif 000002
【特許請求の範囲】
【請求項１】
少なくとも再生ゾーンと吸着ゾーンとの２つのゾーンに分割された二酸化炭素吸着ロータと、少なくとも再生ゾーンと吸着ゾーンとパージゾーンの３つに分割された湿気吸着ロータとを有し、外気をプレクーラで冷却除湿して前記二酸化炭素吸着ロータの吸着ゾーンに通過させ、前記吸着ゾーンを通過した空気をインタークーラで冷却して、前記湿気吸着ロータの吸着ゾーンを通過した空気をアフタークーラで温度調整して供給空気として供給先に供給し、前記供給先からの還気を前記プレクーラを通過した空気と混合し、前記インタークーラを通過した空気の一部を分岐し、前記湿気吸着ロータのパージゾーンを通過させ再生ヒータで加熱して前記湿気吸着ロータの再生ゾーンに通し、前記湿気吸着ロータの再生ゾーンを通過した空気と一部外気とを混合させた後、再生ヒータで加熱して前記二酸化炭素吸着ロータの再生ゾーンに通し、前記二酸化炭素吸着ロータの再生ゾーンを通過した空気を装置外へ排気するようにしたことを特徴とする除湿空調装置。
【請求項２】
前記プレクーラのヒートポンプの凝縮器を前記二酸化炭素吸着ロータの再生ヒータとしたことを特徴とする請求項１記載の除湿空調装置。
【請求項３】
前記二酸化炭素吸着ロータとして、無機系バインダー或いは酢酸ビニル系やアクリル系などの有機系有機系バインダーを使って、アミン担持固体吸収剤が担持されていることを特徴とする請求項１、２記載の除湿空調装置。
【請求項４】
少なくとも再生ゾーンと吸着ゾーンとパージゾーンの３つのゾーンに分割された二酸化炭素吸着ロータと、少なくとも再生ゾーンと吸着ゾーンとパージゾーンの３つに分割された湿気吸着ロータとを有し、外気をプレクーラで冷却除湿して、前記プレクーラを通過した空気の一部を分岐し、前記二酸化炭素吸着ロータのパージゾーンに送るようにし、残りの一部を前記二酸化炭素吸着ロータの吸着ゾーンに通過させ、前記二酸化炭素吸着ロータの吸着ゾーンを通過した空気をインタークーラで冷却して、前記インタークーラを通過した空気の一部を分岐し、前記湿気吸着ロータのパージゾーンに送るようにし、残りの一部を前記湿気吸着ロータの吸着ゾーンに通過させアフタークーラで温度調整して供給空気として供給先に供給し、前記湿気吸着ロータのパージゾーンを通過させた空気を再生ヒータで加熱して前記湿気吸着ロータの再生ゾーンに通し、前記湿気吸着ロータの再生ゾーンを通過した空気と一部外気と前記二酸化炭素吸着ロータのパージゾーンを通過した空気とを混合させた後、再生ヒータで加熱して前記二酸化炭素吸着ロータの再生ゾーンに通し、前記二酸化炭素吸着ロータの再生ゾーンを通過した空気を装置外へ排気するようにしたことを特徴とする除湿空調装置。
【請求項５】
前記二酸化炭素吸着ロータとして、無機系バインダーを使って、Ｃｅの酸化物からなる二酸化炭素捕捉材が担持されていることを特徴とする請求項４記載の除湿空調装置。
【請求項６】
前記湿気吸着ロータとして、−10℃D.P.以下の露点域では湿気と同時に二酸化炭素も吸着することを特徴とする請求項１〜５記載の除湿空調装置。
【発明の詳細な説明】
【技術分野】
【０００１】
本発明は、リチウムイオン電池の製造プラントに適した除湿空調装置に関するものである。
【背景技術】
【０００２】
リチウムイオン電池の製造プラントは、除湿を行なわないとリチウムイオン電池の品質に問題を生じる。つまりリチウムは水分と強く反応するものであり、リチウムイオン電池の製造プラントは露点を摂氏マイナス３０度以下（以降、温度は全て「摂氏」とする）に設定する必要がある。
【０００３】
また、リチウムイオン電池のニッケル系正極材は、水と二酸化炭素を吸着して、正極材内部から溶出したリチウムイオンとリチウム化合物を形成することにより、電極の劣化や電池のサイクル特性が悪くなることが解明されている。
【０００４】
このように低露点で二酸化炭素濃度の低い環境を作るためには、液体窒素を気化させプラント内の空気を窒素と置換させる手段があるが、この方法では、プラント内に人が入ることができなくなるという問題がある。
【０００５】
そこで、低露点環境を作るのに湿気吸着剤を用いた吸着式の除湿空調装置を用いる手段が現実的であり、多くのプラントがこの手段を用いているが、二酸化炭素濃度を低くできないという問題がある。
【０００６】
そこで二酸化炭素濃度の低い低露点環境を作る技術として特許文献１がある。特許文献１に開示されたものは、室内の露点制御を精度よく行ない、二酸化炭素濃度も低くできる技術であるが、水酸化ナトリウムなどの二酸化炭素吸着剤を用いており、時間がたって二酸化炭素吸着能力が低下した場合、新しい二酸化炭素吸着剤に交換する必要があった。
【０００７】
また、特許文献１の二酸化炭素吸着剤交換の問題を解決する技術として特許文献２がある。特許文献２に開示されたものは、湿気及び二酸化炭素吸着ロータを用いて、このロータの回転数を制御することによって、室内の露点と二酸化炭素濃度を制御するものである。
【先行技術文献】
【特許文献】
【０００８】
【特許文献１】特開２０１４−９７４３７号公報
【特許文献２】特開２０１６−２５１９号公報
【発明の概要】
【発明が解決しようとする課題】
【０００９】
上記のとおり、特許文献１及び特許文献２に開示されたものは、室内の二酸化炭素濃度を低くした低露点環境を作るものであるが、どちらも室内の容量が１〜３ｍ３程度と比較的小さなグローブボックス用の装置で、人の湿分が室内に入らないようゴム製などのグローブが装着されている。従って、リチウムイオン電池の製造プラントのように、人が室内に入って作業するドライルームのような低湿度作業室には適用できないという問題があった。
【００１０】
本発明は前記課題を解消するためになされたもので、比較的室内の容量が大きく、人が中に入って作業することが可能な低湿度作業室内の二酸化炭素の濃度を低くすることができる除湿空調装置を提供することを目的とする。
【課題を解決するための手段】
【００１１】
本発明は、外気を冷却するプレクーラを有し、プレクーラによって冷却除湿された空気を二酸化炭素吸着ロータの吸着ゾーンに通し、これによって二酸化炭素濃度の低くなった空気を湿気吸着ロータの吸着ゾーンに通し、二酸化炭素濃度の低い乾燥空気を室内に供給するようにすることを最も主要な特徴とする。
【発明の効果】
【００１２】
本発明の除湿空調装置は、二酸化炭素吸着ロータと湿気吸着ロータを用いて、ドライルームなどの乾燥室内の露点温度を下げ、さらに二酸化炭素濃度も下げることができる。
【００１３】
また、二酸化炭素吸着ロータの種類を変えることにより、ドライルームからの除湿空調装置への還気が有る場合と還気できないワンパスでの装置を提供することが可能となった。
【図面の簡単な説明】
【００１４】
【図１】図１は本発明の除湿機の実施例１を示したフロー図である。
【図２】図２は本発明の除湿機の実施例２を示したフロー図である。
【発明を実施するための形態】
【００１５】
本発明は、二酸化炭素吸着ロータの吸着ゾーンを通過して低二酸化炭素濃度となった空気を湿気吸着ロータの吸着ゾーンを通過して室内に供給するようにし、供給空気の二酸化炭素濃度を低くして低露点にする除湿空調装置を提供するという目的を実現した。
【実施例１】
【００１６】
以下、本発明の実施例１を示す図１に沿って説明する。外気ＯＡはエアーフィルター（図示せず）によって塵埃を除去される。この外気はプレクーラ８によって冷却され結露による除湿が行われる。プレクーラ８を出た空気はダンパ２２によって風量調整され、ファン１０によって低湿度作業室１２からの還気ＲＡと混合され二酸化炭素吸着ロータ１の吸着ゾーン２に通される。
【００１７】
二酸化炭素吸着ロータ１は、二酸化炭素の吸着性能に対して湿度の影響を与えないように以下のような材料を使って製作されている。ガラス繊維紙、ＰＥＴ（ポリエチレンテレフタレート）やＰＰ（ポリプロピレン）など樹脂製の繊維紙、アルミなどの金属箔、樹脂シートなどの不燃性のシートをコルゲート（波付け）加工しロータ状に巻き付け加工したもので、無機系バインダー或いは酢酸ビニル系やアクリル系などの有機系有機系バインダーを使って、６０度以下の低温で再生可能なアミン担持固体吸収剤が担持されている。ハニカムロータに二酸化炭素を吸着するシリカ、ゼオライト、イオン交換樹脂などを担持した公知のものである。そして二酸化炭素吸着ロータ１は、吸着ゾーン２、再生ゾーン３に分割されている。二酸化炭素吸着ロータ１はギヤドモータ（図示せず）などによって回転駆動される。
【００１８】
吸着ゾーン２を通過して二酸化炭素濃度が低くなった空気は、ファン１０を通ってインタークーラ９に送られる。インタークーラ９を通過した空気は、露点摂氏マイナス10度（以下「−10℃D.P.」という）以下の低露点域では湿気と同時に二酸化炭素も吸着する湿気吸着ロータ４の吸着ゾーン５とパージゾーン７に送るよう２路に分岐されている。吸着ゾーン５を通過して二酸化炭素濃度が低く低露点となった空気は、アフタークーラ１１で所定の温度まで下げられ低湿度作業室１２に供給される。
【００１９】
またパージゾーン７を通過した空気は、再生ヒータ１３と再生ヒータ１４で−10℃D.P.以下の低露点域では湿気と同時に二酸化炭素も吸着する湿気吸着ロータ４の再生に必要な温度まで加熱されて再生ゾーン６に送られる。今回は、蒸気などの工場排熱を再生ヒータ１３の再生空気の加熱の熱源に使ったため、２台の再生ヒータを用いたが、これに限定されるものではなく、１台の再生ヒータで湿気吸着ロータ４の再生を行なってもよい。
【００２０】
再生ゾーン６を出た空気は、バルブ３０で風量調整された外気ＯＡ２と混合されファン１６を通過した後、再生ヒータ１５で加熱され二酸化炭素吸着ロータ１の再生ゾーン３に送られる。ここで再生ゾーン６を出た空気と外気ＯＡ２を混合するのは、再生風量を増やして再生ゾーン３で脱着する二酸化炭素の量を増やすことに加え、二酸化炭素吸着ロータ１の再生空気の絶対湿度を上げることにより、二酸化炭素吸着ロータ１に担持されたアミン担持固体吸収剤の二酸化炭素脱着能力を向上させるためである。また、外気ＯＡ２を取り入れない場合と比較して、再生ゾーン３から吸着ゾーン２に持ち込まれる湿分の量も増えるので、アミン担持固体吸収剤の持つアミノ基と二酸化炭素の結合反応が促進されるため、吸着ゾーン２での二酸化炭素吸着能力も向上する。二酸化炭素吸着ロータ１の再生ゾーン３を通過した空気はバルブ２１で風量調整されて排気ＥＡとして外部に放出される。なお、再生ヒータ１５の熱源には、プレクーラ８のヒートポンプ排熱を利用するため、システムの省エネ性向上も実現された。
【００２１】
プレクーラ８のヒートポンプ回路を図１に破線で示す。ヒートポンプ回路は、圧縮機１７、プレクーラ８に用いる蒸発器、再生ヒータ１５と放熱用凝縮器１８に用いる二つの凝縮器、膨張弁１９から構成される。圧縮機１７から出されるガス化した冷媒は、再生ヒータ１５の凝縮器に送られる。なお、再生ゾーン３に送られる空気の温度を温調機（図示せず）などで計測し、再生ヒータ１５に送られるガスと再生ヒータ１５を通らずに圧力調整弁２０によってバイパスされるガスに分岐し、ガスの流量を制御させることによって、所定の再生温度に調整される。再生ヒータ１５を通過したガスは、放熱用凝縮器１８に送られる。その後、液化された冷媒は膨張弁１９で減圧膨張され、プレクーラ８に用いる蒸発器に供給されて処理空気を冷却して、圧縮機１７に戻って循環系を形成する。
【００２２】
ここで、低湿度作業室１２の体積が１１８８ｍ３で在室人数が８名の場合、外気が夏条件として、温度３５度で露点温度３０．１度とし、外気処理風量（ＯＡ）２，６１９ｍ３／ｈ、低湿度作業室１２への供給空気風量（ＳＡ）７，９１６ｍ３／ｈ、還気風量（ＲＡ）６，７２８ｍ３／ｈとすると、低湿度作業室１２への供給空気の温度が１５．５度、露点温度−６３度、二酸化炭素濃度が５０ｐｐｍとなる。なお、この時の二酸化炭素吸着ロータ１の再生ヒータ１５の出口温度は５５度で、湿気吸着ロータ４の再生ヒータ１４の出口温度は２２０度となる。
【実施例２】
【００２３】
次に、本発明の実施例２を示す図２に沿って説明する。実施例１では、低湿度作業室１２からの還気ＲＡを使用したが、低湿度作業室内で発火性の強い有機溶剤ガスが発生したり、人体に有害なガスが発生したり、二酸化炭素吸着ロータ１や湿気吸着ロータ４を劣化させるようなガスが発生したりして、低湿度作業室１２からの還気ＲＡが使用できない場合などの実施例である。外気ＯＡはエアーフィルター（図示せず）によって塵埃を除去される。この外気はプレクーラ８によって冷却され結露による除湿が行われる。プレクーラ８を出た空気はダンパ２２によって風量調整され、ファン１０によって２路に分岐され、二酸化炭素除去ロータ１の吸着ゾーン２とパージゾーン２３に通される。
【００２４】
湿度の影響を受けにくい二酸化炭素吸着ロータ１は、ガラス繊維紙やセラミック繊維紙などの不燃性のシートをコルゲート（波付け）加工しロータ状に巻き付け加工したもので、無機系バインダーなどを使って、湿度があっても二酸化炭素を吸着可能な炭酸カリウム、炭酸ナトリウム、イオン液体やＣｅの酸化物からなる二酸化炭素捕捉材などが担持されている。そして二酸化炭素吸着ロータ１は、吸着ゾーン２、再生ゾーン３、パージゾーン２３に分割されている。二酸化炭素吸着ロータ１はギヤドモータ（図示せず）などによって回転駆動される。
【００２５】
ファン１０を通って吸着ゾーン２を通過して二酸化炭素濃度が低くなった空気は、インタークーラ９に送られる。インタークーラ９を通過した空気は、−10℃D.P.以下の低露点域では湿気と同時に二酸化炭素も吸着する13Xゼオライト、又は5Aゼオライト、又はLSXゼオライトが担持されたロータ４の吸着ゾーン５とパージゾーン７に送るよう２路に分岐されている。吸着ゾーン５を通過してさらに二酸化炭素濃度が低く−50℃D.P.以下の超低露点となった空気は、アフタークーラ１１で所定の温度まで下げられ低湿度作業室１２に供給される。
【００２６】
またパージゾーン７を通過した空気は、再生ヒータ１３と再生ヒータ１４で湿気吸着ロータ４の再生に必要な温度まで加熱されて再生ゾーン６に送られる。今回は、蒸気などの工場排熱を再生ヒータ１３の再生空気の加熱の熱源に使ったため、２台の再生ヒータを用いたが、これに限定されるものではなく、１台の再生ヒータで湿気吸着ロータ４の再生を行なってもよい。
【００２７】
再生ゾーン６を出た空気は、ファン２７を通って、バルブ３０で風量調整された外気ＯＡ２と二酸化炭素吸着ロータ１のパージゾーン２３を通過した空気と混合された後、再生ヒータ１５と再生ヒータ２９で加熱され二酸化炭素吸着ロータ１の再生ゾーン３に送られる。再生ゾーン３を通過した空気はバルブ２１で風量調整されて排気ＥＡとして外部に放出される。なお湿気吸着ロータ４の再生と同様に２台の再生ヒータを用いたが、これに限定されるものではなく、１台の再生ヒータで二酸化炭素吸着ロータ１の再生を行なってもよい。
【００２８】
ここで、低湿度作業室１２の体積が４４０ｍ３で在室人数が０名の場合、外気が夏条件として、温度３５度で露点温度２７度とし、外気処理風量（ＯＡ）１０，５７０ｍ３／ｈ、低湿度作業室１２への供給空気風量（ＳＡ）６，７８６ｍ３／ｈとすると、供給空気の温度が２５度、露点温度−５０度、二酸化炭素濃度が３０ｐｐｍとなる。なお、この時の二酸化炭素吸着ロータ１の再生ヒータ２９の出口温度は２２０度で、−10℃D.P.以下の低露点域では湿気と同時に二酸化炭素も吸着するロータ４の再生ヒータ１４の出口温度は２２０度となる。
【産業上の利用可能性】
【００２９】
本発明は、上記のとおり二酸化炭素吸着ロータと−10℃D.P.以下の低露点域では湿気と同時に二酸化炭素も吸着するロータを使うことにより、低湿度作業室内の二酸化炭素濃度を１００ｐｐｍ以下で制御できる除湿空調装置を提供することができる。
【符号の説明】
【００３０】
１    二酸化炭素吸着ロータ
２    吸着ゾーン
３    再生ゾーン
４    湿気吸着ロータ
５    吸着ゾーン
６    再生ゾーン
７    パージゾーン
８    プレクーラ
９    インタークーラ
１０    ファン
１１    アフタークーラ
１２    低湿度作業室
１３    再生ヒータ
１４    再生ヒータ
１５    再生ヒータ
１６    ファン
１７    圧縮機
１８    放熱用凝縮器
１９   膨張弁
２０   圧力調整弁
２１   バルブ
２２   バルブ
２３   パージゾーン
２４   バルブ
２５   ファン
２６   バルブ
２７   ファン
２８   バルブ
２９   再生ヒータ
３０   バルブ
【図１】
2019018157.tif 000003
【図２】
2019018157.tif 000004
【手続補正書】
【提出日】平成30年4月25日(2018.4.25)
【手続補正１】
【補正対象書類名】特許請求の範囲
【補正対象項目名】請求項１
【補正方法】変更
【補正の内容】
【請求項１】
少なくとも再生ゾーンと吸着ゾーンとの２つのゾーンに分割された二酸化炭素吸着ロータと、少なくとも再生ゾーンと吸着ゾーンとパージゾーンの３つに分割された湿気吸着ロータとを有し、外気をプレクーラで冷却除湿して前記二酸化炭素吸着ロータの吸着ゾーンに通過させ、前記吸着ゾーンを通過した空気をインタークーラで冷却して、前記インタークーラを通過した空気の一部を分岐し、前記湿気吸着ロータのパージゾーンに送るようにし、残りの一部を前記湿気吸着ロータの吸着ゾーンに送り、前記湿気吸着ロータの吸着ゾーンを通過した空気をアフタークーラで温度調整して供給空気として供給先に供給し、前記供給先からの還気を前記プレクーラを通過した空気と混合し、前記インタークーラを通過した空気の一部を分岐し、前記湿気吸着ロータのパージゾーンを通過させ再生ヒータで加熱して前記湿気吸着ロータの再生ゾーンに通し、前記湿気吸着ロータの再生ゾーンを通過した空気と一部外気とを混合させた後、再生ヒータで加熱して前記二酸化炭素吸着ロータの再生ゾーンに通し、前記二酸化炭素吸着ロータの再生ゾーンを通過した空気を装置外へ排気するようにしたことを特徴とする除湿空調装置。
【手続補正２】
【補正対象書類名】特許請求の範囲
【補正対象項目名】請求項３
【補正方法】変更
【補正の内容】
【請求項３】
前記二酸化炭素吸着ロータとして、無機系バインダー或いは酢酸ビニル系やアクリル系などの有機系バインダーを使って、アミン担持固体吸収剤が担持されていることを特徴とする請求項１、２記載の除湿空調装置。
【手続補正３】
【補正対象書類名】明細書
【補正対象項目名】００１７
【補正方法】変更
【補正の内容】
【００１７】
二酸化炭素吸着ロータ１は、二酸化炭素の吸着性能に対して湿度の影響を与えないように以下のような材料を使って製作されている。ガラス繊維紙、ＰＥＴ（ポリエチレンテレフタレート）やＰＰ（ポリプロピレン）など樹脂製の繊維紙、アルミなどの金属箔、樹脂シートなどの不燃性のシートをコルゲート（波付け）加工しロータ状に巻き付け加工したもので、無機系バインダー或いは酢酸ビニル系やアクリル系などの有機系バインダーを使って、６０度以下の低温で再生可能なアミン担持固体吸収剤が担持されている。ハニカムロータに二酸化炭素を吸着するシリカ、ゼオライト、イオン交換樹脂などを担持した公知のものである。そして二酸化炭素吸着ロータ１は、吸着ゾーン２、再生ゾーン３に分割されている。二酸化炭素吸着ロータ１はギヤドモータ（図示せず）などによって回転駆動される。